(57)【要約】【課題】除湿器が閉塞することに起因して、除湿部の除湿性能が低下するのを抑制することが可能なショーケースを提供する。【解決手段】このショーケース１００は、蒸発器２７の上流側の庫内ダクト１２内でかつ凝縮器２４の下流側の背面ダクト１５内に、庫内ダクト１２内に配置される部分３０ａと背面ダクト１５内に配置される部分３０ｂとを入れ替え可能なように、庫内ダクト１２と背面ダクト１５とに跨るように配置される除湿部３０と、除湿部３０の上流側でかつ凝縮器２４の下流側の背面ダクト１５内に配置され、除湿部３０に付着した異物を送風により除去することにより除湿部３０の閉塞を抑制する閉塞抑制ファン３１と、除湿部３０が閉塞した場合に閉塞抑制ファン３１の運転を開始する制御部３３とを備える。【選択図】図１
2015215094.tif 000002
【特許請求の範囲】
【請求項１】
蒸発器が配置され、庫内に冷気を供給する庫内ダクトと、
凝縮器の凝縮熱を排気する排気ダクトと、
前記蒸発器の上流側の前記庫内ダクト内でかつ前記凝縮器の下流側の前記排気ダクト内に、前記庫内ダクト内に配置される部分と前記排気ダクト内に配置される部分とを入れ替え可能なように、前記庫内ダクトと前記排気ダクトとに跨るように配置される除湿部と、
前記除湿部の上流側でかつ前記凝縮器の下流側の前記排気ダクト内に配置され、前記除湿部に付着した異物を送風により除去することにより前記除湿部の閉塞を抑制する閉塞抑制手段と、
前記除湿部が閉塞した場合に前記閉塞抑制手段の運転を開始する制御部とを備える、ショーケース。
【請求項２】
異物が付着することにより前記除湿部が閉塞していることを検知する検知部をさらに備え、
前記制御部は、前記検知部が前記除湿部の閉塞を検知した場合に、前記閉塞抑制手段の運転を開始して、前記除湿部に付着した異物を送風により除去するように構成されている、請求項１に記載のショーケース。
【請求項３】
前記検知部は、前記庫内ダクト内に設けられ、
前記制御部は、前記検知部が前記除湿部の閉塞を検知した場合に、前記除湿部の前記庫内ダクト内に配置される部分と前記排気ダクト内に配置される部分とを入れ替えるとともに前記閉塞抑制手段の運転を開始して、前記除湿部に付着した異物を送風により除去するように構成されている、請求項２に記載のショーケース。
【請求項４】
前記除湿部は、回転可能に構成されており、所定の第１時間毎に前記除湿部が回転して、前記庫内ダクト内に配置される部分と前記排気ダクト内に配置される部分とが入れ替わり、前記凝縮熱により前記除湿部の前記排気ダクト内に配置された部分に吸着した水分が除去されるように構成されており、
前記制御部は、前記除湿部の閉塞を検知した場合、前記所定の第１時間が経過していなくても、前記除湿部を回転させて、前記庫内ダクト内に配置される部分と前記排気ダクト内に配置される部分とを入れ替えるとともに前記閉塞抑制手段の運転を開始して、前記除湿部に付着した異物を送風により除去するように構成されている、請求項３に記載のショーケース。
【請求項５】
前記制御部は、前記除湿部の閉塞を検知した場合、前記除湿部を回転させるとともに、前記所定の第１時間をカウントするタイマをリセットするように構成されている、請求項４に記載のショーケース。
【請求項６】
前記制御部は、前記閉塞抑制手段の運転を開始してから所定の第２時間経過後、前記閉塞抑制手段の運転を停止するように構成されている、請求項４または５に記載のショーケース。
【請求項７】
前記蒸発器の上流側に設けられ、前記蒸発器に送風するための蒸発器送風ファンをさらに備え、
前記検知部は、前記蒸発器の上流側でかつ前記蒸発器送風ファンの下流側の前記庫内ダクト内に配置され、前記庫内ダクト内を流れる空気の風速を検知する風速センサを含む、請求項３〜６のいずれか１項に記載のショーケース。
【発明の詳細な説明】
【技術分野】
【０００１】
この発明は、ショーケースに関し、特に、庫内ダクトに配置される除湿部を備えるショーケースに関する。
【背景技術】
【０００２】
従来、庫内ダクト（通気路）に配置される除湿部（除湿器）を備えるショーケースが知られている（たとえば、特許文献１参照）。上記特許文献１では、冷却用熱交換器（蒸発器）の上流側の通気路に除湿器が配置されている。これにより、冷却用熱交換器に供給される空気が除湿されるので、冷却用熱交換器に霜が付着するのが抑制される。
【０００３】
また、上記特許文献１の除湿器は、一部が冷却用熱交換器に供給される空気の流路（通気路）に配置されるとともに、他の部分が温水ヒータからの加熱空気が流れる流路に配置されている。また、除湿器は、回転するように構成されており、冷却用熱交換器に供給される空気の流路（通気路）に配置される部分と、温水ヒータからの加熱空気が流れる流路に配置されている部分とが入れ替わるように構成されている。そして、除湿器が回転されることにより、除湿により水分が吸着した部分（冷却用熱交換器に供給される空気の流路に配置されていた部分）が、温水ヒータからの加熱空気が流れる流路に配置される。その結果、除湿器に吸着した水分が除去される。
【０００４】
また、従来、ハニカム状またはコルゲード状に形成された紙などの通気性シートに除湿材を含ませた除湿器が知られている（たとえば、特許文献２参照）。そして、この除湿器を空気が通過することにより、空気中に含まれる水分が除湿される。
【先行技術文献】
【特許文献】
【０００５】
【特許文献１】特開２００６−２９７４３号公報
【特許文献２】特開昭５８−１０９１１８号公報
【発明の概要】
【発明が解決しようとする課題】
【０００６】
上記特許文献１に記載された除湿器に、上記特許文献２に記載された通気性シートからなる除湿器を用いた場合には、除湿器を空気が通過することにより、空気に含まれる埃などの異物が除湿器に付着して、除湿器が閉塞する場合がある。この場合、除湿器（除湿部）の除湿性能が低下するという問題点がある。
【０００７】
この発明は、上記のような課題を解決するためになされたものであり、この発明の１つの目的は、除湿器が閉塞することに起因して、除湿部の除湿性能が低下するのを抑制することが可能なショーケースを提供することである。
【課題を解決するための手段】
【０００８】
この発明の一の局面によるショーケースは、蒸発器が配置され、庫内に冷気を供給する庫内ダクトと、凝縮器の凝縮熱を排気する排気ダクトと、蒸発器の上流側の庫内ダクト内でかつ凝縮器の下流側の排気ダクト内に、庫内ダクト内に配置される部分と排気ダクト内に配置される部分とを入れ替え可能なように、庫内ダクトと排気ダクトとに跨るように配置される除湿部と、除湿部の上流側でかつ凝縮器の下流側の排気ダクト内に配置され、除湿部に付着した異物を送風により除去することにより除湿部の閉塞を抑制する閉塞抑制手段と、除湿部が閉塞した場合に閉塞抑制手段の運転を開始する制御部とを備える。なお、本願における閉塞とは、異物が詰まって空気が全く通過できない場合のみならず、除湿部に異物が部分的に詰まることにより空気が通過しにくくなる場合も含む広い概念である。
【０００９】
この発明の一の局面によるショーケースでは、上記のように、除湿部に付着した異物を送風により除去することにより除湿部の閉塞を抑制する閉塞抑制手段と、除湿部が閉塞した場合に閉塞抑制手段の運転を開始する制御部とを備える。これにより、除湿部が閉塞した場合に、閉塞抑制手段の運転が開始され除湿部に付着した異物が送風により除去されるので、除湿部の除湿性能が低下するのを抑制することができる。
【００１０】
上記一の局面によるショーケースにおいて、好ましくは、異物が付着することにより除湿部が閉塞していることを検知する検知部をさらに備え、制御部は、検知部が除湿部の閉塞を検知した場合に、閉塞抑制手段の運転を開始して、除湿部に付着した異物を送風により除去するように構成されている。このように構成すれば、除湿部の閉塞が検知部により検知されるので、容易に、閉塞抑制手段の運転を開始させることができる。
【００１１】
この場合、好ましくは、検知部は、庫内ダクト内に設けられ、制御部は、検知部が除湿部の閉塞を検知した場合に、除湿部の庫内ダクト内に配置される部分と排気ダクト内に配置される部分とを入れ替えるとともに閉塞抑制手段の運転を開始して、除湿部に付着した異物を送風により除去するように構成されている。このように構成すれば、検知部が除湿部の閉塞を検知した場合に、除湿部の異物が付着した部分が、閉塞抑制手段が配置される排気ダクト内に配置されるので、閉塞抑制ファンの送風により異物を除去することができる。
【００１２】
上記検知部が庫内ダクト内に設けられるショーケースにおいて、好ましくは、除湿部は、回転可能に構成されており、所定の第１時間毎に除湿部が回転して、庫内ダクト内に配置される部分と排気ダクト内に配置される部分とが入れ替わり、凝縮熱により除湿部の排気ダクト内に配置された部分に吸着した水分が除去されるように構成されており、制御部は、除湿部の閉塞を検知した場合、所定の第１時間が経過していなくても、除湿部を回転させて、庫内ダクト内に配置される部分と排気ダクト内に配置される部分とを入れ替えるとともに閉塞抑制手段の運転を開始して、除湿部に付着した異物を送風により除去するように構成されている。このように構成すれば、所定の第１時間毎にのみ除湿部が回転する場合と異なり、除湿部が閉塞した場合、迅速に、除湿部に付着した異物を送風により除去することができる。
【００１３】
この場合、好ましくは、制御部は、除湿部の閉塞を検知した場合、除湿部を回転させるとともに、所定の第１時間をカウントするタイマをリセットするように構成されている。このように構成すれば、除湿部に付着した異物が送風により除去されている最中に、所定の第１時間が経過して、異物の除去が不十分な状態の除湿部が庫内ダクト内に配置されるのを抑制することができる。
【００１４】
上記所定の第１時間毎に除湿部が回転するショーケースにおいて、好ましくは、制御部は、閉塞抑制手段の運転を開始してから所定の第２時間経過後、閉塞抑制手段の運転を停止するように構成されている。このように構成すれば、異物の除去に必要な時間だけ閉塞抑制手段を運転させることができるので、電力が無駄に消費されるのを抑制することができる。
【００１５】
上記検知部が庫内ダクト内に設けられるショーケースにおいて、好ましくは、蒸発器の上流側に設けられ、蒸発器に送風するための蒸発器送風ファンをさらに備え、検知部は、蒸発器の上流側でかつ蒸発器送風ファンの下流側の庫内ダクト内に配置され、庫内ダクト内を流れる空気の風速を検知する風速センサを含む。ここで、除湿部に異物が付着した場合には、空気が除湿部を通過しにくくなることに起因して、庫内ダクト内を流れる空気の風速が小さくなる。そこで、風速センサにより庫内ダクト内を流れる空気の風速を検知することによって、容易に、除湿部の閉塞を検知することができる。
【発明の効果】
【００１６】
本発明によれば、上記のように、除湿器が閉塞することに起因して、除湿部の除湿性能が低下するのを抑制することができる。
【図面の簡単な説明】
【００１７】
【図１】本発明の一実施形態によるショーケースの断面図である。
【図２】本発明の一実施形態によるショーケースの正面図である。
【図３】本発明の一実施形態によるショーケースのブロック図である。
【図４】本発明の一実施形態によるショーケースの動作を説明するためのフロー図である。
【発明を実施するための形態】
【００１８】
以下、本発明を具体化した実施形態を図面に基づいて説明する。
【００１９】
まず、図１を参照して、本実施形態によるショーケース１００の構成について説明する。
【００２０】
図１に示すように、ショーケース１００は、ケース本体部１０が設けられている。ケース本体部１０は、商品（図示せず）を前面側が開放された陳列室１１に陳列して販売するオープンタイプ（開放型）である。なお、陳列室１１は、本発明の「庫内」の一例である。
【００２１】
また、ケース本体部１０には、庫内ダクト１２が設けられている。庫内ダクト１２は、断熱材１３を介して、陳列室１１の背面側（Ｘ１方向側）に設けられ、垂直方向（Ｚ方向）に延びる部分１２ａと、陳列室１１の下方（Ｚ２方向側）に設けられ、水平方向（Ｘ方向）に延びる部分１２ｂとを含む。また、庫内ダクト１２（部分１２ａ）は、陳列室１１に接続されており、陳列室１１に陳列された商品を冷却する冷気を供給するように構成されている。
【００２２】
また、ケース本体部１０の下方（Ｚ２方向）には、機械室１４が設けられている。
【００２３】
また、ケース本体部１０には、背面ダクト１５が設けられている。背面ダクト１５は、断熱材１３を介して、庫内ダクト１２の背面側（Ｘ１方向側）に、上方（Ｚ１方向）に延びるように設けられている。また、背面ダクト１５の下方は、機械室１４に接続されている。そして、背面ダクト１５は、機械室１４に配置された後述する凝縮器２４からの凝縮熱（排熱）が排気されるように構成されている。なお、背面ダクト１５は、本発明の「排気ダクト」の一例である。
【００２４】
また、ケース本体部１０には、たとえば二酸化炭素（ＣＯ２）などを冷媒として使用する冷凍機ユニット２０が設けられている。
【００２５】
図１および図３に示すように、冷凍機ユニット２０には、圧縮機２１が設けられている。圧縮機２１は、機械室１４に設けられている。圧縮機２１は、ＡＣ電源２２（図３参照）から供給される交流電力により駆動される駆動部２３（図３参照）により回転駆動されるように構成されている。また、圧縮機２１は、冷凍機ユニット２０における低圧側から吸入されたガス冷媒を圧縮して高圧側に吐出する役割を有している。
【００２６】
冷凍機ユニット２０には、凝縮器２４が設けられている。凝縮器２４は、機械室１４に設けられている。凝縮器２４は、内部を流通する過熱ガス状態の冷媒を外気を用いて冷却（凝縮）する機能を有している。このとき、冷媒の凝縮熱が発生する。また、凝縮器２４内で凝縮（液化）された冷媒は、後述する膨張弁２５に流入される。
【００２７】
また、冷凍機ユニット２０には、凝縮器送風ファン２６（図１参照）が設けられている。凝縮器送風ファン２６は、機械室１４に設けられている。具体的には、凝縮器送風ファン２６は、凝縮器２４と圧縮機２１との間に設けられている。そして、凝縮器送風ファン２６は、ケース本体部１０の下方に設けられたフィルタ１６を介して外気を取り入れて、凝縮器２４に送風するように構成されている。
【００２８】
また、冷凍機ユニット２０には、膨張弁２５（図３参照）が設けられている。膨張弁２５は、凝縮器２４で冷却（液化）された冷媒を絞り膨張（減圧）させて蒸発器２７に供給する役割を有している。また、膨張弁２５により膨張された液冷媒は、気相および液相からなる気液二相状態のまま蒸発器２７に流入される。
【００２９】
また、冷凍機ユニット２０には、蒸発器２７が設けられている。図１に示すように、蒸発器２７は、庫内ダクト１２の垂直方向（Ｚ方向）に延びる部分１２ａに設けられている。蒸発器２７は、流通する冷媒が蒸発（気化）する際に、庫内ダクト１２内を流通する空気から熱を奪って冷却する。そして、蒸発器２７によって冷却された空気（冷気）は、陳列室１１に供給される。また、蒸発器２７における蒸発後の冷媒は、気相を多く含んだガス状態となって圧縮機２１に戻される。
【００３０】
また、冷凍機ユニット２０には、蒸発器送風ファン２８（図１参照）が設けられている。蒸発器送風ファン２８は、蒸発器２７の上流側に設けられている。具体的には、蒸発器送風ファン２８は、庫内ダクト１２の垂直方向（Ｚ方向）に延びる部分１２ａと水平方向（Ｘ方向）に延びる部分１２ｂとの境界部分に設けられている。そして、蒸発器送風ファン２８は、ケース本体部１０の前面側（Ｘ２方向）に設けられた下部冷気吸込口１７から冷気を取り入れて、蒸発器２７に送風するように構成されている。このとき、水分を含んだ一部の外気は、冷気とともに下部冷気吸込口１７に吸い込まれる。
【００３１】
そして、冷凍機ユニット２０は、圧縮機２１から吐出された冷媒が、凝縮器２４、膨張弁２５、蒸発器２７の順に流れて圧縮機２１に帰還されるサイクルを繰り返すように構成されている。
【００３２】
また、ショーケース１００（ケース本体部１０）には、除湿部３０が設けられている。除湿部３０は、蒸発器２７の上流側（Ｚ２方向側）の庫内ダクト１２内で、かつ、凝縮器２４の下流側（Ｚ１方向側）の背面ダクト１５内に設けられている。また、除湿部３０は、庫内ダクト１２内に配置される部分３０ａと背面ダクト１５内に配置される部分３０ｂとを入れ替え可能なように、庫内ダクト１２と背面ダクト１５とに跨るように配置されている。
【００３３】
また、図２に示すように、除湿部３０は、水平方向（Ｙ方向）に沿った横長形状を有する。具体的には、除湿部３０は、ケース本体部１０の一方端（Ｙ１方向側）近傍から、他方端（Ｙ２方向側）近傍まで、延びるように設けられている。そして、除湿部３０は、Ｙ方向に沿った方向に延びる回転軸Ａを中心に、回転可能に構成されている。また、除湿部３０は、所定の第１時間ｔ１毎に除湿部３０が回転して、庫内ダクト１２内に配置される部分３０ａと背面ダクト１５内に配置される部分３０ｂとが入れ替わるように構成されている。そして、凝縮熱（排熱）により除湿部３０の背面ダクト１５内に配置された部分（除湿部３０の回転前に庫内ダクト１２内に配置されていた部分３０ａ）に吸着した水分が除去されるように構成されている。
【００３４】
また、除湿部３０は、たとえば、紙などの通気性シートに除湿材を含ませることにより構成されている。
【００３５】
ここで、本実施形態では、ショーケース１００（ケース本体部１０）には、閉塞抑制ファン３１が設けられている。閉塞抑制ファン３１は、除湿部３０の上流側（Ｚ２方向側）でかつ凝縮器２４の下流側（Ｚ１方向側）の背面ダクト１５内に配置されている。また、閉塞抑制ファン３１は、１つ（または複数）設けられている。そして、閉塞抑制ファン３１は、除湿部３０に付着した異物（埃など）を送風により除去することにより除湿部３０の閉塞を抑制するように構成されている。なお、異物は、除湿部３０の庫内ダクト１２内に配置される部分３０ａにおける、蒸発器送風ファン２８側（Ｚ２方向側）の部分３０ｃに付着する。なお、閉塞抑制ファン３１は、本発明の「閉塞抑制手段」の一例である。
【００３６】
また、本実施形態では、ショーケース１００（ケース本体部１０）には、風速センサ３２が設けられている。風速センサ３２は、蒸発器２７の上流側（Ｚ２方向側）で、かつ、蒸発器送風ファン２８の下流側（Ｚ１方向側）の庫内ダクト１２内に配置されている。そして、風速センサ３２は、庫内ダクト１２内を流れる空気の風速を検知するように構成されている。なお、風速センサ３２は、本発明の「検知部」の一例である。
【００３７】
また、図３に示すように、ショーケース１００（ケース本体部１０）には、制御部３３が設けられている。制御部３３は、ショーケース１００全体を制御するように構成されている。また、本実施形態では、制御部３３は、風速センサ３２が除湿部３０の閉塞を検知した場合に、除湿部３０を回転させて、除湿部３０の庫内ダクト１２内に配置される部分３０ａと背面ダクト１５内に配置される部分３０ｂとを入れ替えるように構成されている。そして、制御部３３は、閉塞抑制ファン３１の運転を開始して、除湿部３０（除湿部３０の回転前に庫内ダクト１２内に配置されていた部分３０ｃ、図１参照）に付着した異物を送風により除去するように構成されている。制御部３３は、たとえば、風速センサ３２が所定の閾値未満の風速を検出した場合に、除湿部３０が閉塞したと判断するように構成されている。
【００３８】
また、制御部３３は、除湿部３０の閉塞を検知した場合、所定の第１時間ｔ１が経過していなくても、除湿部３０を回転させて、庫内ダクト１２内に配置される部分３０ａと背面ダクト１５内に配置される部分３０ｂとを入れ替えるように構成されている。そして、制御部３３は、閉塞抑制ファン３１の運転を開始して、除湿部３０に付着した異物を送風により除去するように構成されている。また、制御部３３は、除湿部３０の閉塞を検知した場合、除湿部３０を回転させるとともに、所定の第１時間ｔ１をカウントするタイマ３４（図３参照）をリセットするように構成されている。すなわち、タイマ３４によってカウントされた時間ｔが、ゼロにリセットされる。また、制御部３３は、閉塞抑制ファン３１の運転を開始してから所定の第２時間ｔ２経過後、閉塞抑制ファン３１の運転を停止するように構成されている。
【００３９】
次に、図１を参照して、ショーケース１００の冷気の流れについて説明する。
【００４０】
ショーケース１００では、蒸発器２７により冷却された冷気が、庫内ダクト１２から陳列室１１に供給される。また、冷気は、ケース本体部１０の上方（Ｚ１方向）に設けられた上部冷気吹出口１８から吹き出されるとともに、ケース本体部１０の下方（Ｚ２方向）に設けられた下部冷気吸込口１７から吸い込まれる。これにより、ケース本体部１０の前方側（Ｘ２方向側）にエアーカーテン１９が形成される。その結果、外気が陳列室１１に侵入することが抑制される。また、下部冷気吸込口１７から吸い込まれた冷気および外気は、蒸発器送風ファン２８により、再び蒸発器２７に送風される。
【００４１】
次に、図４を参照して、ショーケース１００の制御部３３の動作について説明する。
【００４２】
まず、ステップＳ１において、タイマ３４がカウントした時間ｔが、所定の第１時間ｔ１を経過したか否かが判断される。ステップＳ１において、タイマ３４がカウントした時間ｔが、所定の第１時間ｔ１を経過した（ｔ≧ｔ１）と判断された場合には、ステップＳ２に進む。ステップＳ２において、除湿部３０が回転して、除湿部３０の庫内ダクト１２内に配置される部分３０ａと背面ダクト１５内に配置される部分３０ｂとが入れ替えられる。これにより、凝縮器送風ファン２６により送風される凝縮熱により、除湿部３０の背面ダクト１５内に配置された部分（除湿部３０の回転前に庫内ダクト１２内に配置されていた部分３０ａ）に吸着した水分が除去される。また、ステップＳ２において、タイマ３４がリセットされる。その後、ステップＳ１に戻る。
【００４３】
ステップＳ１において、タイマ３４がカウントした時間ｔが所定の第１時間ｔ１を経過していない（ｔ＜ｔ１）場合、ステップＳ３において、除湿部３０の閉塞が検出されたか否かが判断される。ステップＳ３において、除湿部３０の閉塞が検出されていない場合、ステップＳ１に戻る。そして、ステップＳ３において、除湿部３０の閉塞が検出された場合、ステップＳ４に進む。
【００４４】
そして、ステップＳ４において、除湿部３０が回転して、除湿部３０の庫内ダクト１２内に配置される部分３０ａと背面ダクト１５内に配置される部分３０ｂとが入れ替えられる。これにより、異物が付着する除湿部３０の部分３０ｃが、背面ダクト１５内において、上方側（Ｚ１方向側）を向いた状態（図１の点線で示した部分３０ｃ）になる。また、タイマ３４がリセットされる。
【００４５】
次に、ステップＳ５において、閉塞抑制ファン３１の運転が開始される。これにより、除湿部３０（除湿部３０の回転前に庫内ダクト１２内に配置されていた部分３０ｃ）に付着した異物が送風により除去される。
【００４６】
そして、ステップＳ６において、タイマ３４がカウントした時間ｔが所定の第２時間ｔ２を経過したか否かが判断される。すなわち、閉塞抑制ファン３１の運転時間が、所定の第２時間ｔ２を経過したか否かが判断される。タイマ３４がカウントした時間ｔが所定の第２時間ｔ２を経過していない（ｔ＜ｔ２）と判断された場合には、ステップＳ６の動作が繰り返される。タイマ３４がカウントした時間ｔが所定の第２時間ｔ２を経過した（ｔ≧ｔ２）と判断された場合には、ステップＳ７に進む。なお、所定の第２時間ｔ２は、所定の第１時間ｔ１よりも短く（ｔ２＜ｔ１）設定されている。これにより、所定の第２時間ｔ２が経過する前に所定の第１時間ｔ１が経過したと判断されて、異物の除去が不完全な状態で除湿部３０が回転されるのが抑制される。そして、ステップＳ７において、閉塞抑制ファン３１の運転が停止される。その後、ステップＳ１に戻る。
【００４７】
本実施形態では、以下のような効果を得ることができる。
【００４８】
本実施形態では、上記のように、除湿部３０の上流側でかつ凝縮器２４の下流側の背面ダクト１５内に配置され、除湿部３０に付着した異物を送風により除去することにより除湿部３０の閉塞を抑制する閉塞抑制ファン３１と、除湿部３０が閉塞した場合に閉塞抑制ファン３１の運転を開始する制御部３３とを備える。これにより、除湿部３０が閉塞した場合に、閉塞抑制ファン３１の運転が開始され除湿部３０に付着した異物が送風により除去されるので、除湿部３０の除湿性能が低下するのを抑制することができる。
【００４９】
また、本実施形態では、上記のように、異物が付着することにより除湿部３０が閉塞していることを検知する風速センサ３２を設ける。そして、制御部３３を、風速センサ３２が除湿部３０の閉塞を検知した場合に、閉塞抑制ファン３１の運転を開始して、除湿部３０に付着した異物を送風により除去するように構成する。これにより、除湿部３０の閉塞が風速センサ３２により検知されるので、容易に、閉塞抑制ファン３１の運転を開始させることができる。
【００５０】
また、本実施形態では、上記のように、風速センサ３２を、庫内ダクト１２内に設ける。そして、制御部３３を、風速センサ３２が除湿部３０の閉塞を検知した場合に、除湿部３０の庫内ダクト１２内に配置される部分３０ａと背面ダクト１５内に配置される部分３０ｂとを入れ替えるとともに閉塞抑制ファン３１の運転を開始して、除湿部３０に付着した異物を送風により除去するように構成する。これにより、風速センサ３２が除湿部３０の閉塞を検知した場合に、除湿部３０の異物が付着した部分（回転前に庫内ダクト１２内に配置されていた部分３０ｃ）が、閉塞抑制ファン３１が配置される背面ダクト１５内に配置されるので、閉塞抑制ファン３１の送風により異物を除去することができる。
【００５１】
また、本実施形態では、上記のように、制御部３３を、除湿部３０の閉塞を検知した場合、所定の第１時間ｔ１が経過していなくても、除湿部３０を回転させて、庫内ダクト１２内に配置される部分３０ａと背面ダクト１５内に配置される部分３０ｂとを入れ替えるとともに閉塞抑制ファン３１の運転を開始して、除湿部３０に付着した異物を送風により除去するように構成する。これにより、所定の第１時間ｔ１毎にのみ除湿部３０が回転する場合と異なり、除湿部３０が閉塞した場合、迅速に、除湿部３０に付着した異物を送風により除去することができる。
【００５２】
また、本実施形態では、上記のように、制御部３３を、除湿部３０の閉塞を検知した場合、除湿部３０を回転させるとともに、所定の第１時間ｔ１をカウントするタイマ３４をリセットするように構成する。これにより、除湿部３０に付着した異物が送風により除去されている最中に、所定の第１時間ｔ１が経過して、異物の除去が不十分な状態の除湿部３０が庫内ダクト１２内に配置されるのを抑制することができる。
【００５３】
また、本実施形態では、上記のように、制御部３３を、閉塞抑制ファン３１の運転を開始してから所定の第２時間ｔ２経過後、閉塞抑制ファン３１の運転を停止するように構成する。これにより、異物の除去に必要な時間だけ閉塞抑制ファン３１を運転させることができるので、電力が無駄に消費されるのを抑制することができる。
【００５４】
また、本実施形態では、上記のように、蒸発器２７の上流側でかつ蒸発器送風ファン２８の下流側の庫内ダクト１２内に配置され、庫内ダクト１２内を流れる空気の風速を検知する風速センサ３２を設ける。ここで、除湿部３０に異物が付着した場合には、空気が除湿部３０を通過しにくくなることに起因して、庫内ダクト１２内を流れる空気の風速が小さくなる。そこで、風速センサ３２により庫内ダクト１２内を流れる空気の風速を検知することによって、容易に、除湿部３０の閉塞を検知することができる。
【００５５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５６】
たとえば、上記実施形態では、閉塞抑制ファンにより除湿部に付着した異物を除去する例を示したが、本発明はこれに限られない。たとえば、除湿部近傍に、除湿部に送風する風洞を設けてもよい。そして、風洞からの送風により、除湿部に付着した異物を除去するようにしてもよい。
【００５７】
また、上記実施形態では、除湿部がＹ方向に沿った方向に延びる回転軸（図２参照）を中心に回転可能に構成されている例を示したが、本発明はこれに限られない。たとえば、除湿部を、Ｚ方向に沿った方向に延びる回転軸を中心に回転可能に構成してもよい。
【００５８】
また、上記実施形態では、ショーケースに、水平方向（Ｙ方向）に沿って除湿部が１つ設けられる例を示したが、本発明はこれに限られない。たとえば、水平方向（Ｙ方向）に沿って、除湿部を複数設けてもよい。
【００５９】
また、上記実施形態では、風速センサにより、除湿部に異物が付着したことを検知する例を示したが、本発明はこれに限られない。たとえば、除湿部に入る空気と除湿部から出ていく空気の湿度を測定して、測定された湿度に基づいて、除湿部に異物が付着したこと（除湿量が低下したこと）を検知するようにしてもよい。また、光センサなどを用いて、付着した異物を検知するように構成してもよい。
【００６０】
また、上記実施形態では、風速センサが庫内ダクト内に設けられる例を示したが、本発明はこれに限られない。たとえば、除湿部の閉塞が検知可能な場所であれば、風速センサを庫内ダクト以外（たとえば、冷気が供給される陳列室）に設けてもよい。
【００６１】
また、上記実施形態では、所定の第２時間が経過した後、閉塞抑制ファンの運転が停止される例を示したが、本発明はこれに限られない。たとえば、光センサなどを用いて、除湿部に付着した異物が除去されたことを検知した後、閉塞抑制ファンの運転を停止するようにしてもよい。
【符号の説明】
【００６２】
１１  陳列室（庫内）
１２  庫内ダクト
１５  背面ダクト（排気ダクト）
２４  凝縮器
２７  蒸発器
２８  蒸発器送風ファン
３０  除湿部
３０ａ  部分
３０ｂ  部分
３１  閉塞抑制ファン（閉塞抑制手段）
３２  風速センサ（検知部）
３３  制御部
３４  タイマ
１００  ショーケース
ｔ１  第１時間
ｔ２  第２時間
【図１】
2015215094.tif 000003
【図２】
2015215094.tif 000004
【図３】
2015215094.tif 000005
【図４】
2015215094.tif 000006